(57)【特許請求の範囲】
【請求項１】
這樋の水下側端部に接続されて前記這樋からの雨水を軒樋に導入する這樋エルボであって、
前記這樋の水下側端部に接続される上側の通路部材と、
前記上側の通路部材の下側に連通接続され且つその下端部が前記軒樋に向けて延びる下側の通路部材と、
を備え、
前記上側の通路部材と前記下側の通路部材とは、上下方向にスライド自在に接続されており、
前記上側の通路部材と、前記下側の通路部材と、には、上下方向に複数多段にスライド位置を調整するスライド位置調整手段が設けられており、
前記スライド位置調整手段は、
前記上側の通路部材および前記下側の通路部材の一方に設けられた係合突部と、
前記上側の通路部材および前記下側の通路部材の他方に、前記スライド方向に沿って複数多段に設けられ且つ前記係合突部を受け入れて係合する係合受部と、
を備えており、
前記係合突部は、前記一方から突設された弾性可撓片に設けられていることを特徴とする這樋エルボ。
【請求項２】
請求項１に記載の這樋エルボであって、
前記下側の通路部材に開口する排水口は、前記軒樋の水上側へ開口する開口面積よりも、前記軒樋の水下側へ開口する開口面積が、大きく設定されていることを特徴とする這樋エルボ。
【請求項３】
請求項２に記載の這樋エルボであって、
前記上側の通路部材に対して前記下側の通路部材を垂直軸回りに反転自在に装着できるように、前記複数多段に設けられた係合受部が、各段ごとに垂直軸回りの点対称位置に対称配列されていることを特徴とする這樋エルボ。
【発明の詳細な説明】
【技術分野】
【０００１】
本発明は、這樋の水下側端部に取り付けられる這樋エルボに関する。
【背景技術】
【０００２】
この種の這樋エルボにあっては、這樋エルボの下端が軒樋の底面に近接しすぎて軒樋の流路を塞いでしまわないように、施工時に這樋エルボの下端部をカットして、這樋エルボの下端と軒樋の底面とのクリアランスが適度な寸法になるようにしている。このように施工時にカット作業があると、施工作業が煩雑になる問題があった。
【０００３】
そのため、例えば特許文献１では、這樋エルボを予め短めに設定しておき、この短尺な這樋エルボの下端部に、延長部材（特許文献１中では落とし口という）を取付自在にしている。這樋エルボの下端と軒樋の底面との間の間隔がある程度適当である場合には、延長部材を取り付けずに、そのままで使用する。這樋エルボの下端と軒樋の底面との間の間隔が広すぎる場合には、延長部材を取り付けることで、軒樋の底面との間の間隔をある程度適度な長さに設定している。
【特許文献１】特開２０００−１５７４５７号公報
【発明の開示】
【発明が解決しようとする課題】
【０００４】
しかしながらこのような構造では、這樋エルボの下端部の長さは、延長部材を取り付けた場合と、延長部材を取り付けない場合と、の二値だけしか選択できないため、微妙なクリアランスの設定はできない。
【０００５】
そこで本発明は、切断作業を不要としつつ這樋の底面とのクリアランスを微調整できる這樋エルボの提供を目的とする。
【課題を解決するための手段】
【０００６】
請求項１に記載の発明は、這樋の水下側端部に接続されて前記這樋からの雨水を軒樋に導入する這樋エルボであって、前記這樋の水下側端部に接続される上側の通路部材と、前記上側の通路部材の下側に連通接続され且つその下端部が前記軒樋に向けて延びる下側の通路部材と、を備え、前記上側の通路部材と前記下側の通路部材とは、上下方向にスライド自在に接続されており、前記上側の通路部材と、前記下側の通路部材と、には、上下方向に複数多段にスライド位置を調整するスライド位置調整手段が設けられており、前記スライド位置調整手段は、前記上側の通路部材および前記下側の通路部材の一方に設けられた係合突部と、前記上側の通路部材および前記下側の通路部材の他方に、前記スライド方向に沿って複数多段に設けられ且つ前記係合突部を受け入れて係合する係合受部と、を備えており、前記係合突部は、前記一方から突設された弾性可撓片に設けられていることを特徴とする。
【００１０】
請求項２に記載の発明は、請求項１に記載の這樋エルボであって、前記下側の通路部材に開口する排水口は、前記軒樋の水上側へ開口する開口面積よりも、前記軒樋の水下側へ開口する開口面積が、大きく設定されていることを特徴とする。
【００１１】
請求項３に記載の発明は、請求項２に記載の這樋エルボであって、前記上側の通路部材に対して前記下側の通路部材を垂直軸回りに反転自在に装着できるように、前記複数多段に設けられた係合受部が、各段ごとに垂直軸回りの点対称位置に対称配列されていることを特徴とする。
【発明の効果】
【００１２】
請求項１に記載の発明によれば、上側の通路部材と、下側の通路部材と、がスライド自在に連通接続されているため、施工時に這樋エルボの下端と軒樋の底面との間のクリアランスを設定する際には、上側の通路部材に対して下側の通路部材をスライドさせることで、容易に這樋エルボの上下長さを微調整できる。
【００１３】
そのため、施工時に這樋エルボの下端と軒樋の底面との間のクリアランスを設定する際には、従来のような切断作業が不要となるし、しかも微妙なクリアランス設定も可能となる。
【００１４】
また、上側の通路部材と下側の通路部材とには、上下方向に複数多段にスライド位置を調整するスライド位置調整手段が設けられているため、施工時に容易にスライド位置を微調整でき、施工性をさらに向上させることができる。また、上側の通路部材と下側の通路部材とのスライド位置で固定するための接着剤などが不要となる。
【００１５】
また、スライド位置調整手段は、互いに係合する係合突部と係合受部とを備えてなり、係合受部がスライド方向に沿って複数多段に設けられた構造であるため、簡素な構造で、スライド位置調整手段を構成できる。
【００１６】
また、係合突部は弾性可撓片に設けられているため、上側の通路部材に対して下側の通路部材をスライドさせる際に、係合突部が強く当たって摺動抵抗が大きくなってしまうことを防止でき、比較的軽い力でスライド位置を調整できる。
【００１７】
請求項２に記載の発明によれば、下側の通路部材の排水口は、軒樋の水上側へ開口する開口面積よりも、側面視で軒樋の水下側へ開口する開口面積が、大きく設定されているため、軒樋にスムーズに雨水を導入することができる。
【００１８】
請求項３に記載の発明によれば、上側の通路部材に対して下側の通路部材を垂直軸回りに反転自在に装着できるように、前記複数多段に設けられた係合受部が各段ごとに垂直軸回りの点対称位置に対称配列されているため、家屋に合わせて下側の通路部材の排水口の向きを選択することができる。
【発明を実施するための最良の形態】
【００１９】
以下、本発明の一実施形態を図１〜図１０を参照しつつ説明する。
【００２０】
図１は本発明の一実施形態の這樋エルボの家屋への取付状態を示す概略側面図、図２は図１の要部拡大図、図３は同這樋エルボの正面図、図４は同這樋エルボの下側の通路部材を垂直軸回りに反転させて取り付けた状態を示す正面図、図５は同這樋エルボの上側通路部材を示す図であって図５（ａ）は正面図、図５（ｂ）は平面図、図５（ｃ）は側面図、図６は同這樋エルボの下側の通路部材を示す図であって、図６（ａ）は正面図、図６（ｂ）は平面図、図６（ｃ）は側面図、図７は図６（ｃ）中のＶＩＩ−ＶＩＩ断面図、図８は図６（ａ）中のＶＩＩＩ−ＶＩＩＩ断面図、図９（ａ）〜（ｃ）は同這樋エルボのスライド方法を説明する図、図１０は下側の通路部材の各スライド位置における這樋エルボの長さを示す正面図である。
【００２１】
まず図１、図２を参照しつつ這樋エルボの取付位置について説明する。
【００２２】
図１、図２に示すように、二階または多階建て家屋１においては、上階の這樋３にて受けた雨水を、這樋５を介して下階の軒樋７に排水するようになっている。這樋５は、下階の屋根面２に沿って配設され、この這樋５の水下側下端部（つまり下流端部）には、略Ｌ字状の這樋エルボ１０が取り付けられている。這樋５からの雨水は、這樋エルボ１０を通じて下階の軒樋７に導入される。這樋エルボ１０の下端部は、図２に示すように下階の軒樋７内に位置することで、這樋エルボ１０の下端部からの排出される雨水が軒樋７から飛び出して飛散しないようになっている。
【００２３】
次に、這樋エルボ１０の構造を図３〜図７を参照しつつより具体的に説明する。
【００２４】
本実施形態の這樋エルボ１０は、２部品１１、１３が上下に組み合わされて構成されている。一つは上側の通路部材１１であり、もう一つは下側の通路部材１３である。
【００２５】
上側の通路部材１１は、上下方向に延びる筒部１５と、筒部１５の側壁上部に一体に設けられた筒状の受口１７と、を備えて、正面視で全体として略Ｌ字状に形成されている。受口１７の一端は開口しており、この開口端が這樋５の水下側端部が連通接続される（図２参照）。一方、受口１７の他端は筒部１５に連通している。筒部１５の上端１９は閉塞しており、筒部１５の下端２１はこの下端２１が下側の通路部材１３との連通口となっている。
【００２６】
下側の通路部材１３は、上下方向に略筒状の延び、上側の通路部材１１の下端の連通口２１に連通接続されている。この下側の通路部材１３は、上側の通路部材１１に対して上下方向にスライド自在に装着されていて、これにより這樋エルボ１０の上下方向の長さを調整できるようになっている。言い換えると、這樋エルボ１０の下端の位置を調整できるようになっている。
【００２７】
具体的には、下側の通路部材１３は、図６に示すように上側に設けられたスライド支持部２３と、このスライド支持部２３から下方に向けて突設された垂下部３３と、を備える。
【００２８】
スライド支持部２３は、上側の通路部材の下端部と同様に断面略四角形の筒状に形成され、上側の通路部材１１の下端部を受け入れて上側の通路部材１１に対して当該下側の通路部材１３をスライド自在に支持している。このスライド支持部２３の内壁面２９のうちの対向する二面３１、３１は、図７に示すように上部３１ａが薄肉で下部３１ｃが厚肉に形成され、上側の通路部材１１の外壁面とのクリアランスが下部３１ｃほどきつくなっている。これにより、スライド支持部２３の上方開口２５から当該スライド支持部２３に、上側の通路部材１１の下端部を容易に挿入でき、また、スライド支持部２３に対して上側の通路部材１１を挿入した状態では、つまり、下側の通路部材１３と上側の通路部材１１とを組み付けた状態では、両部品１１、１３がガタなくスライドできるようになっている。なお、前記上部３１ａと前記下部３１ｃとはなめらかに傾斜面３１ｂで接続されている。
【００２９】
一方、垂下部３３は、対向する一対の縦壁３５、３５と、縦壁３５、３５の下端同士を連結する底壁３７と、を備えている。対向する一対の縦壁３５、３５同士は、図６（ｃ）および図８に示す如くその両側が塞がれておらず、これにより、一対の縦壁３５、３５の両側の隙間３９、４１が、這樋エルボ１０の排水口３９、４１になっている。
【００３０】
底壁３７は水平に対して傾斜しており、このように底壁３７が水平に対して傾斜しているこで、２つの排水口３９、４１のうち底壁３７の傾斜下端側の排水口４１が傾斜上端側の排水口３９よりも開口面積が大きくなっている。また、上方から流れてきた雨水はこの底壁３７の傾斜下端側（つまり下り坂方向）に向けて流れることとなり、２つの排水口３９、４１のうち傾斜下端側の排水口４１から、主に雨水が排出される。
【００３１】
ここで、本実施形態の這樋エルボ１０は、上側の通路部材１１と下側の通路部材１３とがスライド方向（上下方向）に沿って複数多段階にスライド位置を調整できるようになっている。つまり、本実施形態の這樋エルボ１０は、２部品１１、１３の間に、複数多段にスライド位置を調整するスライド位置調整手段を備えている。このスライド位置調整手段は、図３、１０に示すように、上側の通路部材１１に設けられた係合突部５３と、下側の通路部材１３にスライド方向に複数多段に設けられた係合受部５５と、から構成されている。係合突部５３と各係合受部５５とは互いに係合自在であって、係合突部５３を係合受部５５内に受け入れることで、上側の通路部材１１と下側の通路部材１３とのスライドが規制されて、這樋エルボ１０の上下方向の長さが決まるようになっている。
【００３２】
係合突部５３、５３は、上側の通路部材１１の下端の四隅から下方に突設された４つの弾性可撓片５１Ａ、５１Ｂ、５１Ｃ、５１Ｄのうちの２つ５１Ａ、５１Ｂに設けられている。
【００３３】
一方、係合受部５５は、下側の通路部材１３の四隅に、上下方向に複数多段に設けられている。つまり、係合受部５５は、各段ごとに、２つの係合突起５３、５３に対して４つ設けられている。この４つの係合受部５５は、垂直軸回りの点対称位置に対称配列されており、これにより図３、４に示すように上側の通路部材１１に対して下側の通路部材１３を垂直軸回りに１８０°反転させることができる。つまり、反転位置でも、上側の通路部材１１に対して下側の通路部材１３を上下方向に多段階にスライド自在に装着できるようになっている。
【００３４】
次に、本実施形態の這樋エルボのスライド方法について図９を参照しつつ説明する。
【００３５】
図９（ａ）は這樋エルボのスライド初期位置である。這樋エルボ１０の上下方向の長さを調整する際には、まず図９（ａ）のＡ点（つまり下側の通路部材１３のうち係合受部５５より上側で且つ係合突部５３よりも上側の点）を押さえた状態でその反対側のＢ点（つまりＡ点の反対側でＡ点より下側の点）を強く押す。このようにすることで図９（ｂ）に示すように係合受部５５から係合突部５３が離脱する。この状態で図９（ｂ）中の矢示Ｃで示すように下側の通路部材１３を上側に向けて押すと、図９（ｃ）に示すように係合受部５５から係合突部５３が完全に離脱して係合突部５３が下側の通路部材１１の内壁面に乗り上げる。これにより上側の通路部材１１に対して下側の通路部材１３がスライド可能な状態となる。
【００３６】
この状態で下側の通路部材１３をスライドさせて、求めるスライド位置に対応する係合受部５５に係合突起５３を嵌め入れて、図１０（ａ）〜（ｄ）に示す如く這樋エルボ１０の上下方向の長さを求める長さにする。なお、本実施形態の這樋エルボ１０は１０ｍｍきざみに４段階にスライド位置を設定できるようになっており、図１０（ａ）は初期位置、（ｂ）は１０ｍｍスライド位置、（ｃ）は２０ｍｍスライド位置、（ｄ）は３０ｍｍスライド位置を示す。
【００３７】
次に、この実施形態の効果を列挙する。
【００３８】
（１）本実施形態の這樋エルボ１０は、互いに連通接続される上側の通路部材１１と下側の通路部材１３とを備え、上側の通路部材１１と下側の通路部材１３とが上下方向にスライド自在に接続されている。そのため、施工時に這樋エルボ１０の下端と軒樋７の底面との間のクリアランスＤを設定する際には、上側の通路部材１１に対して下側の通路部材１３をスライドさせることで、容易に這樋エルボ１０の上下方向の長さを微調整できる。結果、従来のように施工時に切断作業が行うことなく、這樋エルボ１０の下端と軒樋７の底面との間のクリアランスＤを微調整できる。
【００３９】
（２）また本実施形態の這樋エルボ１０は、上側の通路部材１１と下側の通路部材１３との間に上下方向に複数多段にスライド位置を調整するスライド位置調整手段を備えている。そのため、施工時に容易にスライド位置を微調整でき、施工性をさらに向上させることができる。また、上側の通路部材と下側の通路部材とのスライド位置を固定するための接着作業などが不要となる。
【００４０】
（３）また本実施形態では、スライド位置調整手段が、上側の通路部材１１に設けられた係合突部５３と、下側の通路部材１３にスライド方向に沿って複数多段に設けられ且つ係合突部５３を受け入れて係合する係合受部５５と、を備えてなる。そのため、簡素な構造でスライド位置調整手段を構成できる。
【００４１】
（４）また本実施形態の這樋エルボは、係合突部５３は、上側の通路部材１１から突設された弾性可撓片５１Ａ、５１Ｂに設けられている。そのため、上側の通路部材１１に対して下側の通路部材１３をスライドさせる際に、係合突部５３が強く当たって摺動抵抗が大きくなってしまうことを防止でき、比較的軽い力でスライド位置を調整できる。そのため、さらに施工性を向上させることができる。
【００４２】
（５）また本実施形態の這樋エルボ１０は、下側の通路部材１３に開口する排水口３９、４１は、軒樋７の水上側へ開口する開口面積（この実施形態では水上側に開口する排水口３９の開口面積）のよりも、軒樋７の水下側へ開口する開口面積（この実施形態では水下側に開口する排水口４１の開口面積）が、大きく設定されている。そのため、軒樋７の水下側（下流側）に向けてスムーズに雨水を導入することができる。
【００４３】
（６）また本実施形態の這樋エルボ１０は、上側の通路部材１１に対して下側の通路部材１３を垂直軸回りに反転自在に装着できるように、複数多段に設けられた係合受部５５が、各段ごとに垂直軸回りの点対称位置に対称配列されている。そのため、施工家屋１に合わせて下側の通路部材１３の排水口３９、４１の向きを選択することができる。
【００４４】
以上、本発明の一実施形態を図面に基づいて説明したが、本発明は上述の実施形態のみに限定されるものではなく、例えば下記の様な変更変更が可能である。
【００４５】
例えば上述の実施形態では、係合受部５５は貫通孔として形成されているが凹部で形成されていてもよし、その他の形状であってよい。
【００４６】
また上述の実施形態では係合突部５３が上側の通路部材１１に設けられるとともに係合受部５５が下側の通路部材１３に設けられているが、逆に、係合突部５３が下側の通路部材１３に設けられるとともに係合受部５５が上側の通路部材１１に設けられていても、同様の効果が得られる。
【００４７】
また上述の実施形態では、下側の通路部材１３の下端に底壁３７が設けられて下側の通路部材１３の排水口３９、４１が水平方向に向けて開口しているが、図１１に示すように下側の通路部材１３の下端に排水口６１が開口していても良い。
【００４８】
また、本発明はその他の変更も可能であり上述の実施形態のみに限定されない。
【図面の簡単な説明】
【００４９】
【図１】図１は本発明の一実施形態の這樋エルボの家屋への取付状態を示す概略側面図。
【図２】図２は図１の要部拡大図。
【図３】図３は同這樋エルボの正面図。
【図４】図４は同這樋エルボの下側の通路部材を垂直軸回りに反転させて取り付けた状態を示す正面図。
【図５】図５は同這樋エルボの上側の通路部材を示す図であって、図５（ａ）は正面図、図５（ｂ）は平面図、図５（ｃ）は側面図。
【図６】図６は同這樋エルボの下側の通路部材を示す図であって、図６（ａ）は正面図、図６（ｂ）は平面図、図６（ｃ）は側面図。
【図７】図７は図６（ｃ）中のＶＩＩ−ＶＩＩ断面図。
【図８】図８は図６（ａ）中のＶＩＩＩ−ＶＩＩＩ断面図。
【図９】図９（ａ）〜（ｃ）は同這樋エルボのスライド方法を説明する図。
【図１０】図１０は各スライド位置における這樋エルボの長さ違いを示す正面図であって、図１０（ａ）はスライド初期位置、図１０（ｂ）は１０ｍｍスライド位置、図１０（ｃ）は２０ｍｍスライド位置、図１０（ｄ）は３０ｍｍスライド位置である。
【図１１】図１１は下側の通路部材の変形例を示す斜視図。
【符号の説明】
【００５０】
１…家屋
５…這樋
７…軒樋
１０…這樋エルボ
１１…上側の通路部材
１３…下側の通路部材
３９…排水口
４１…排水口
５１Ａ、５１Ｂ…弾性可撓片
５３…係合突部（スライド位置調整手段）
５５…係合受部（スライド位置調整手段）
６１…排水口
【図１】
0004618079.tif 000002
【図２】
0004618079.tif 000003
【図３】
0004618079.tif 000004
【図４】
0004618079.tif 000005
【図５】
0004618079.tif 000006
【図６】
0004618079.tif 000007
【図７】
0004618079.tif 000008
【図８】
0004618079.tif 000009
【図９】
0004618079.tif 000010
【図１０】
0004618079.tif 000011
【図１１】
0004618079.tif 000012